(57)【特許請求の範囲】
【請求項１】
第１の端部と第２の端部を有するように延在する管状のシャフトであって、空洞を画定する内面を有する管状のシャフトと、
上記管状のシャフトの第１の端部に取り付けられたクラブヘッドであって、約０°〜約６°のロフト角と約３６０ｇ〜約４００ｇの質量とを有するクラブヘッドと、
上記管状のシャフトの外周側に配置されかつ上記管状のシャフトの第２の端部に当接しているグリップであって、該ゴルフクラブのグリップ部を画定するグリップと、
長細の部材と、
上記空洞内に配置された可動ウェイトであって、使用者により、該ゴルフクラブの上記グリップ部の内周側において選択的に再配置され得るように構成された可動ウェイトと、
を備えるゴルフクラブにおいて、
上記可動ウェイトの質量が約６０ｇ〜約８０ｇであり、
上記可動ウェイトは、第１のセクション及び第２のセクションを含み、これらのセクションは共に上記空洞の中心軸によって貫かれる位置にあり、
第１のセクションが第２のセクションに対して相対的に回転されることにより、上記長細の部材に上記可動ウェイトが選択的にくっ付くように構成されており、
上記長細の部材に上記可動ウェイトが選択的にくっ付くことは、上記長細の部材と上記可動ウェイトとの間に配置された１つ又は複数の環状のグロメットが膨らむことにより上記可動ウェイトが軸方向に移動しないように拘束することによることを特徴とする、ゴルフクラブ。
【請求項２】
上記空洞内へ挿入されて上記シャフトの第２の端部に固定されるように構成された調節可能なカウンターバランスをさらに備え、
上記可動ウェイトが上記調節可能なカウンターバランスに含まれていることを特徴とする請求項１に記載のゴルフクラブ。
【請求項３】
上記可動ウェイトは、使用者による操作を受けて、第１の状態つまり非ロック状態と第２の状態つまりロック状態との間で遷移することができ、
上記可動ウェイトは、非ロック状態であるときには上記長細の部材の軸方向に沿って移動することができる一方で、
上記可動ウェイトは、ロック状態であるときには上記長細の部材の軸方向に沿って移動することができないように拘束されていることを特徴とする請求項２に記載のゴルフクラブ。
【請求項４】
上記長細の部材はロッドからなり、
上記可動ウェイトは管状の形状に形成されておりかつ上記ロッドの外周側に配置されていることを特徴とする請求項２に記載のゴルフクラブ。
【請求項５】
上記可動ウェイトは、上記グリップ部の内周側において約２５０ｍｍ〜約４００ｍｍの距離だけ移動することができるように構成されていることを特徴とする請求項１に記載のゴルフクラブ。
【請求項６】
上記グリップ部は固定質量を有し、該固定質量／上記可動ウェイトの質量の比は、約０．７５：１〜約２．０：１であることを特徴とする請求項１に記載のゴルフクラブ。
【請求項７】
上記グリップの長さが約１５インチ（約３８．１ｃｍ）であることを特徴とする請求項１に記載のゴルフクラブ。
【請求項８】
上記管状のシャフトの長さが約３４インチ〜約４０インチ（約８６．４ｃｍ〜約１０２ｃｍ）であることを特徴とする請求項１に記載のゴルフクラブ。
【請求項９】
上記ゴルフクラブヘッドの質量が約３６０ｇ〜約３９０ｇであることを特徴とする請求項１に記載のゴルフクラブ。
【請求項１０】
上記管状のシャフトの長さが約３５インチ〜約３８インチ（約８８．９ｃｍ〜約９６．５ｃｍ）であることを特徴とする請求項９に記載のゴルフクラブ。
【請求項１１】
第１の端部と第２の端部を有するように延在する管状のシャフトであって、空洞を画定する内面と約３５インチ〜約３８インチ（約８８．９ｃｍ〜約９６．５ｃｍ）の長さとを有する管状のシャフトと、
上記管状のシャフトの第１の端部に取り付けられたゴルフクラブヘッドであって、約０°〜約６°のロフト角と約３６０ｇ〜約３９０ｇの質量とを有するゴルフクラブヘッドと、
長細の部材と、
上記空洞内に配置された可動ウェイトであって、上記管状のシャフトの第２の端部から第１の端部へ向かう方向に延在する約２５０ｍｍ〜約４００ｍｍの可動域内の任意の位置に選択的に再配置され得るように構成されている可動ウェイトと、
を備えるゴルフクラブにおいて、
上記可動ウェイトの質量が約６０ｇ〜約８０ｇであり、
上記可動ウェイトは、第１のセクション及び第２のセクションを含み、これらのセクションは共に上記空洞の中心軸によって貫かれる位置にあり、
第１のセクションが第２のセクションに対して相対的に回転されることにより、上記長細の部材に上記可動ウェイトが選択的にくっ付くように構成されており、
上記長細の部材に上記可動ウェイトが選択的にくっ付くことは、上記長細の部材と上記可動ウェイトとの間に配置された１つ又は複数の環状のグロメットが膨らむことにより上記可動ウェイトが軸方向に移動しないように拘束することによることを特徴とする、ゴルフクラブ。
【請求項１２】
上記空洞内へ挿入されて上記シャフトの第２の端部に固定されるように構成された調節可能なカウンターバランスをさらに備え、
上記可動ウェイトが上記調節可能なカウンターバランスに含まれていることを特徴とする請求項１１に記載のゴルフクラブ。
【請求項１３】
上記可動ウェイトは、使用者による操作を受けて、第１の状態つまり非ロック状態と第２の状態つまりロック状態との間で遷移することができ、
上記可動ウェイトは、非ロック状態であるときには上記長細の部材の軸方向に沿って自由に移動することができる一方で、
上記可動ウェイトは、ロック状態であるときには上記長細の部材の軸方向に沿って移動することができないように拘束されていることを特徴とする請求項１２に記載のゴルフクラブ。
【請求項１４】
上記長細の部材がロッドからなり、
上記可動ウェイトは、管状の形状に形成されておりかつ上記ロッドの外周側に配置されていることを特徴とする請求項１２に記載のゴルフクラブ。
【請求項１５】
上記管状のシャフトの外周側に配置されかつ上記管状のシャフトの第２の端部に当接しているグリップであって該ゴルフクラブのグリップ部を画定するグリップをさらに備え、
上記グリップ部は固定質量を有し、該固定質量／上記可動ウェイトの質量の比が約０．７５：１〜約２．０：１であることを特徴とする請求項１１に記載のゴルフクラブ。
【請求項１６】
上記グリップの長さが約１５インチ（約３８．１ｃｍ）であることを特徴とする請求項１５に記載のゴルフクラブ。
【請求項１７】
第１の端部と第２の端部を有するように延在する管状のシャフトであって、空洞を画定する内面と約３５インチ〜約３８インチ（約８８．９ｃｍ〜約９６．５ｃｍ）の長さとを有する管状のシャフトと、
上記管状のシャフトの第１の端部に取り付けられたゴルフクラブヘッドであって、約０°〜約６°のロフト角と約３６０ｇ〜約３９０ｇの質量とを有するゴルフクラブヘッドと、
上記空洞内へ挿入されて上記シャフトの第２の端部に固定されるように構成された調節可能なカウンターバランスと、
を備えるゴルフクラブにおいて、
上記調節可能なカウンターバランスは、
ロッドからなる長細の部材と、
上記ロッドの外周側に配置され、第１のセクション及び第２のセクションを含む可動ウェイトであって、第１のセクションが第２のセクションに対して上記ロッドを中心軸として回転されることにより、上記長細の部材に選択的にくっ付けられるように構成されている可動ウェイトと、
を含み、
上記調節可能なカウンターバランスが上記管状のシャフトの第２の端部に固定されている場合に、上記可動ウェイトは、上記ロッドに沿って上記管状のシャフトの第２の端部から第１の端部へ向かう方向に延在する約２５０ｍｍ〜約４００ｍｍの可動域内の任意の位置に選択的に再配置され得るように構成されており、さらには、
上記可動ウェイトの質量が約６０ｇ〜約８０ｇであり、
上記長細の部材に上記可動ウェイトが選択的にくっ付けられることは、上記長細の部材と上記可動ウェイトとの間に配置された１つ又は複数の環状のグロメットが膨らむことにより上記可動ウェイトが軸方向に移動しないように拘束することによることを特徴とする、ゴルフクラブ。
【請求項１８】
上記管状のシャフトの外周側に配置されかつ上記管状のシャフトの第２の端部に当接しているグリップであって該ゴルフクラブのグリップ部を画定するグリップをさらに備え、
上記グリップ部は固定質量を有し、該固定質量／上記可動ウェイトの質量の比が約０．７５：１〜約２．０：１であることを特徴とする請求項１７に記載のゴルフクラブ。
【請求項１９】
上記グリップの長さが約１５インチ（約３８．１ｃｍ）であることを特徴とする請求項１８に記載のゴルフクラブ。
【請求項２０】
上記空洞内へ挿入されて上記シャフトの第２の端部に固定されるように構成された調節可能なカウンターバランスをさらに備え、該調節可能なカウンターバランスはロッキング・インターフェイスを含み、該ロッキング・インターフェイスは、斜行したスロット、及び該斜行したスロットに捕捉されるように構成された突起を含むことを特徴とする請求項１に記載のゴルフクラブ。
【請求項２１】
上記可動ウェイトの第１のセクションと第２のセクションとが相対的に回転すると、第１のセクションと第２のセクションとが相対的に軸方向に移動するように構成されていることを特徴とする請求項１に記載のゴルフクラブ。  
【発明の詳細な説明】
【技術分野】
【０００１】
本発明は、概して、調節可能なカウンターバランス・ウェイトを備えるゴルフ用パターに関する。
【背景技術】
【０００２】
ゴルフの試合において最も繊細なプレーの１つとしてパッティングがある。狙ったライン上にボールがのって所望の距離だけ転がるように、首尾よくボールを転がす必要がある。少なからずのゴルファーが、ストロークを安定させるために、スムーズなストローク、良好なグライド、澄んだ衝撃音を実現し、バウンドしないトップスピンのかかるボールを打つことができるパターを好んで使用している。
【発明の概要】
【発明が解決しようとする課題】
【０００３】
パッティングストロークを正確に行う方法の一つとして、ゴルファーの身体の中央部までの長さを有するパターをしっかりと固定すること（アンカーリング）があった。しかし、固定すると、実質的に平面的でスムーズなストロークをするために制御されるべき自由度の総数が減少してしまうし、ＵＧＡとＲ＆Ａのルール作成団体が決めたルールに違反してしまう。そのため、クラブの製造業者は、アンカー式（固定式）のパターが禁止されることにより残る穴を埋めることができるパターを設計することに新たな関心をもっている。
【課題を解決するための手段】
【０００４】
一実施例においては、ゴルフクラブは、管状のシャフトと、該シャフトの第１の端部に取り付けられたゴルフクラブヘッドと、上記シャフトの第２の端部付近に配置されたグリップと、を含む。ゴルフクラブヘッドは、約０°〜約６°のロフト角と約３６０ｇ〜約４００ｇの質量とを有するパターヘッドである。シャフトの空洞（キャビティ）内でかつ上記クラブのグリップ部の内周側に可動ウェイト（重し）が配置されている。可動ウェイトは、約６０ｇ〜約８０ｇの質量を有し、使用者によって選択的にグリップ部内の任意の位置に再配置され得るように構成されている。
【０００５】
一実施例においては、ゴルフクラブは、第１の端部から第２の端部まで延在する管状のシャフトであって、空洞と、約３５インチ〜約３８インチ（約８８．９ｃｍ〜約９６．５ｃｍ）の長さと、を画定する内面を有する管状のシャフトを含む。管状のシャフトの第１の端部にゴルフクラブヘッドが取り付けられており、該ゴルフクラブヘッドは、約０°〜約６°のロフト角と約３６０ｇ〜約３９０ｇの質量とを有する。空洞内には可動ウェイトが配置され、該可動ウェイトは、管状のシャフトの第２の端部から軸方向に延在する約２５０ｍｍ〜約４００ｍｍの可動域内の任意の位置に選択的に再配置され得る。可動ウェイトは、約６０ｇ〜約８０ｇの質量を有する。
【０００６】
本発明の上述した特徴及び利点並びに他の特徴及び利点は、本発明を実施するための形態についての以下の詳細な説明及び添付の図を参照することにより明らかとなる。
【図面の簡単な説明】
【０００７】
【図１】ゴルフクラブ（パター）の側面を概略的に示す図。
【図２】ゴルフクラブ（パター）のシャフトの空洞に配置された調節可能なカウンターバランスを有するパターの側面を一部断面で概略的に示す図。
【図３】一実施例におけるゴルフクラブ用の調節可能なカウンターバランスの環状のウェイトの部分の側面を断面で概略的に示す図。
【図４】一実施例におけるゴルフクラブ用の調節可能なカウンターバランスの環状のウェイトの部分の側面を断面で概略的に示す図。
【発明を実施するための形態】
【０００８】
各図において、同様の参照符号は、各図に亘って同様の或いは同一の構成要素を示す。図１は、シャフト１２、ゴルフクラブヘッド１４及びグリップ１６を含むゴルフクラブ１０を概略的に示す。シャフト１２は、概ね長手方向軸１８に沿って配置され、第１の端部２０と第２の端部２２を有するように延在する。ゴルフクラブヘッド１４は、シャフト１２の第１の端部２０に取り付けられており、グリップ１６は、シャフト１２の第２の端部２２に当接するように、第２のシャフト１２の外周側に配置されている。ゴルフクラブ１０の全長は、約３０インチ〜約５０インチ（約７６．２ｃｍ〜約１２７ｃｍ）であるとよく、又は約３４インチ〜約４０インチ（約８６．４ｃｍ〜約１０２ｃｍ）であるとよく、又は約３５インチ〜３８インチ（約８８．９ｃｍ〜約９６．５ｃｍ）であるとよい。グリップ１６は、概して、使用者がクラブを振るときに握る非金属製の覆いつまりスリーブである。グリップをつくるのに適切な材料としては、一般に、ゴム、天然皮革又は合成皮革の材料がある。グリップ１６は、シャフト１２の第２の端部２２から延在し、例えば約１５インチ（約３８．１ｃｍ）の長さを有する。一実施例においては、ゴルフクラブヘッド１４のパターヘッドは約０°〜約６°のロフト角を有し、ヘッドの質量は約３００ｇ〜約５００ｇである。他の実施例においては、クラブヘッド１４の質量は、約３２５ｇ〜約４２５ｇであり、又は約３６０ｇ〜約４００ｇであり、又は３６０ｇ〜約３９０ｇであり、さらに又は約３６５ｇ〜約３７５ｇである。一実施例においては特に、ヘッドの質量は、約３６８ｇ〜約３７２ｇである。
【０００９】
図２は、図１に示したシャフト１２の一部の断面３０を概略的に示す。図に示されるように、シャフト１２は管状体３２を含み、この管状体３２は、長手方向軸１８に沿って実質的に同心状に整列した内面３４と外面３６を有する。グリップ１６は、外面３６の外周側に配置され、内面３４は空洞３８を画定する。この空洞３８内に、調節可能なカウンターバランス４０が配置され、この調節可能なカウンターバランス４０があることにより、使用者は、選択的に、シャフト１２内の所望の位置に可動ウェイト４２を再配置することができる。使用者は、シャフト１２内において可動ウェイト４２を再配置することにより、クラブ１０を振ったときのフィールや手応えを変えることができる。可動ウェイト４２を特定の配置にしたり特定の寸法にしたりすることにより、クラブ１０のフィールやスイングプロファイルをアンカー式のパターのそれと同様にすることができる。アンカー式のパターのフィールは個々のゴルファーに依存して異なるが、長尺のシャフトの長さ（例えば、約３５インチ〜約３８インチ（約８８．９ｃｍ〜約９６．５ｃｍ））と重いパターヘッド（例えば、約３６０ｇ〜約４００ｇ、さらに好ましくは約３６０ｇ〜約３９０ｇ）との組合せに、本明細書において説明される可動ウェイト４２を加えることにより、アンカー式のパターのフィールを適切に再現できることが見出されている。
【００１０】
図２に示されるように、調節可能なカウンターバランス４０は、シャフト１２の長手方向軸１８とほぼ整列するように構成された長細の部材４４を含む。この長細の部材４４は、適度に軽い重量と弾性を有する材料（例えば、アルミニウム、炭素繊維で覆われたアルミニウム、及び／又はポリマー（高分子）材料）から形成されたロッドを含む。適切なポリマーの例としては、１つ又は複数のポリアミド、ポリイミド、ポリアミドイミド、ポリエーテルエーテルケトン（ＰＥＥＫ）、ポリカーボネート、エンジニアリングポリウレタン、及び／又は他の同様の材料がある。ポリマー材料は、概して、熱可塑性であっても熱硬化性であってもよく、ガラスファイバやカーボンファイバなどの短繊維のファイバで充填されている場合もあれば充填されていない場合もあり、強度を増大させるための他の適切な充填剤及び／又は添加剤を含む場合もある。ロッドの直径は、空洞３８の直径の約１０％〜約２５％を占めるとよい。また、ロッドの長さは、約３００ｍｍ〜約４５０ｍｍであるとよく、又は約３５０ｍｍ〜約４００ｍｍであるとよい。一実施例においては特に、ロッドの長さは約１５インチつまり約３８０ｍｍであるとよい。
【００１１】
一実施例においては、可動ウェイト４２は、本質的に概ね環状の形状に形成されており、長細の部材４４を半径方向に取り囲む。ウェイト４２は、該ウェイト４２を半永久的に配置するために、長細の部材４４に選択的にくっ付けられ得る。例えば、ウェイト４２は、使用者による操作を受けて、第１の状態つまり非ロック状態と第２の状態つまりロック状態との間で遷移することができる。環状のウェイト４２は、第１の状態つまり非ロック状態であるときには、軸方向の可動域（例えば、長細の部材４４の第１の端部４６と第２の端部４８との間）に亘って移動することができる。環状のウェイト４２は、使用者によって適切に位置決めされると、第２の状態つまりロック状態になり、このロック状態においては、さらに移動することができないように拘束されている。
【００１２】
図３は、長細の部材４４の軸方向に沿って選択的に移動することができるように構成された一実施例における環状のウェイト４２の一部の断面６０を概略的に示す。図に示されているように、環状のウェイト４２は、第１のセクション６２と第２のセクション６４を含み、これらのセクション６２，６４の各々は、長細の部材４４を周方向に取り囲むとともに、該部材４４の長さ方向に沿って延在し互いに隣接している。
【００１３】
図３に示される一実施例においては、第１のセクション６２が第２のセクション６４に対して長細の部材４４を中心軸として回転されることにより、環状のウェイト４２は、軸方向に移動することで、選択的に、第１のロック状態と第２の非ロック状態との間で遷移することができる。一実施例においては、軸方向の移動が完了するまでに、約４５°〜約１８０°の相対的な回転を伴う。他の実施例においては、軸方向の移動が完了するまでに、約８０°〜約１００°つまりほぼ４分の１回転の相対的回転を伴う。一実施例においては、この相対的回転は、２つのセクション６２，６４の間に配置されたグロメット（はとめ）６８に軸方向の圧力を加えるように、それぞれのセクション６２，６４を互いに向けて引き寄せる。加えられた圧力が、その充分な接触力でもって長細の部材４４に対してグロメット６８を半径方向に膨らませることにより、環状のウェイト４２が長細の部材４４の軸方向に沿って自由に移動すること（すなわち、選択的に、長細の部材４４に環状のウェイト４２をくっ付けること）が妨げられる。グロメット６８は、ポリマー材料から形成されており、ショアＤスケールで約４０Ａ〜約８０Ａの硬度を有し得る。
【００１４】
一実施例においては、所定の位置にウェイト４２を固定するために行われる相対的回転は、手動で行うことができるほど小さなトルク（回転力）が加えられることで実行される。例えば、一実施例においては、所定の位置にウェイト４２をロックするのに必要な最大要求トルクは、約２．５重量ポンドインチ（約０．２８Ｎ・ｍ）よりも小さい。一実施例においては、手動による回転を行い易くするために、各セクション６２，６４の一部の外面は、粗くつくられているか或いはざらつきがある。
【００１５】
図３に示されるような一実施例においては特に、第１のセクション６２は、第２のセクションの一部７２を受けるように第２のセクション６４の一部７２を半径方向に取り囲むように構成された凹部７０を画定する。凹部７０内において、半径方向について長細の部材４４と第１のセクション６２の一部との間に、環状のグロメット６８が配置され得る。第２のセクション６４の入れ子にされた部分７２は、ロッキング・インターフェイス７４に促されて、凹部７０内へ引き入れられる場合もあれば、凹部７０の外へ引き出される場合もある。
【００１６】
ロッキング・インターフェイス７４は、例えば、第１及び第２のセクション６２，６４の螺合部（ネジ山を有する部分）を含み、これらの螺合部は協働して、該セクション６２，６４の相対的な軸方向の移動を生じさせる。図３に示されるような他の実施例においては、ロッキング・インターフェイス７４は、ＢＮＣ式の共軸ワイヤコネクタと同様に、突起７６と、斜行するスロット７８とを含み得る。突起は、第１及び第２のセクション６２，６４のうちの一方から半径方向外側へ延在し、他方がスロット７８つまり軌道を画定し得る。スロット７８は、環状のウェイト４２の周囲の一部の周りに延在し、軸方向に斜行した経路８０を含み得る。突起７６はスロット７８内に捕捉されていて、第１のセクション６２と第２のセクション６４とが相対的に回転されることにより、セクション６２，６４の相対的な軸方向の移動が生じる（特には、突起７６がスロット７８の斜行する経路８０内を移動することを伴う）。一実施例においては、スロット７８は、第１のセクション６２に設けられており、突起７６は、第２のセクション６４の入れ子にされた部分７２から半径方向外側へ延在している。
【００１７】
他の実施例においては、環状のウェイト４２は２つ以上の環状のグロメット６８を含み、これらの環状のグロメット６８は、該ウェイト４２が長細の部材４４の軸方向に沿って移動をすることができないように選択的に拘束する機能を有する。例えば、図４に示されるように、環状のウェイトは、第１のセクション６２とウェイトチューブ８４との間に配置された第１の環状のグロメット８２と、第２のセクション６４とウェイトチューブ８４との間に配置された第２の環状のグロメット８６と、を有し得る。第１のセクション６２と第２のセクション６４は、上述したのと同様のロッキング・インターフェイス７４の位置で出会うが、非ロック状態からロック状態へ遷移させることは、第１および第２のグロメット８２，８６の各々をウェイトチューブ８４に押し付けるように圧縮することを含む。この圧縮力により、長細の部材４４と第１のセクション６２との間で第１の環状のグロメット８２が膨らみ、長細の部材４４と第２のセクション６４との間で第２の環状のグロメット８６が膨らみ得る。さらなる実施例においては、ウェイトチューブ８４は、ウェイトチューブのセクション間の中間位置に配置された追加の環状のグロメットによって更に分割されている場合がある。
【００１８】
再び図２を参照すると、調節可能なカウンターバランス４０は、シャフト１２の第２の端部２２に選択的に固定されるように構成されている。一実施例においては、調節可能なカウンターバランス４０は、長細の部材４４の第１の端部４６の位置又はこれに近接した位置において該長細の部材４４と結合される固定手段を含む。この固定手段は、シャフト１２の第２の端部２２に調節可能なカウンターバランス４０を選択的に接続できるように構成され得る。一実施例においては、固定手段は、外周側にネジ山を有するキャップ９０であり、このキャップ９０は、長細の部材４４の第１の端部４６に取り付けられる。外周側にネジ山を有するキャップ９０は、シャフト１２の内面３４の螺合部（ネジ山を有する部分）と協働して、空洞３８内に該キャップ９０自体を固定できるように構成されている。他の実施例においては、固定手段は、圧入式の接続である場合もあれば、シャフト１２の端部の一部に被せることができるように、内周側にネジ山を有する蓋式のキャップである場合もある。
【００１９】
長細の部材４４の第２の端部４８に、安定化グロメット９２が配置され、この安定化グロメット９２は、空洞３８内において長細の部材４４を安定させるために使用され得る。この安定化グロメット９２の外側の直径は、該グロメット９２がゴルフクラブシャフトの管状体内に挿入されているときに、シャフト１２の内面３４に接触力が作用し得る寸法を有する。加えて、同じく安定させる目的で、環状のウェイト４２上に１つまたは複数の安定化グロメット９２が配置される場合がある。例えば、図２に示されるように、一実施例においては、第１のセクション６２の外周側に第１の安定化グロメット９４が配置され、第２のセクション６４の外周側に第２の安定化グロメット９６が配置されている。そして、調節可能なカウンターバランス４０が空洞３８内へ挿入されているときに、安定化グロメット９４，９６の各々は、対応するセクション６２，６４とシャフトの内面３４との間で圧縮され得る。
【００２０】
一実施例においては、パター用の調節可能なカウンターバランス４０があることによって、約３０ｇ〜約１００ｇの質量（塊）がシャフト１２の空洞３８内で約２００ｍｍ〜約５００ｍｍの可動域内で動くことが可能となる。換言すれば、この実施例においては、可動ウェイト４２の質量（以下、「可動質量」という）は、約３０ｇ〜約１００ｇであり、可動ウェイト４２の重心が長細の部材４４の軸方向に沿って約２００ｍｍ〜約５００ｍｍの距離だけ移動することができる（そして、移動後の位置において固定され得る）。他の実施例においては、調節可能なカウンターバランス４０があることによって、約６０ｇ〜約８０ｇの質量（塊）が空洞３８内で約２５０ｍｍ〜約４００ｍｍの距離だけ移動することができる。一実施例においては特に、調節可能なカウンターバランス４０があることによって、約６５ｇ〜約７５ｇの質量（塊）が空洞３８内において約２５０ｍｍ〜約３５０ｍｍの距離だけ移動することができる。一実施例においては、可動域は、シャフト１２の第２の端部２２から第１の端部２０へ向かう方向に延在している。この態様においては、軸方向の全体又はほぼ全体の可動域がグリップ１６と一致し得る。
【００２１】
調節可能なカウンターバランス４０の総質量は、約３０ｇ〜約１００ｇの可動質量と約２０ｇの固定質量（すなわち、長細の部材４４及び他の静的な構成要素）とを含めて約５０ｇ〜約１２０ｇであり得る。一実施例においては、グリップ１６は、クラブの「グリップ部」を画定する。詳しくは、グリップ部は、ゴルフクラブのグリップ１６と一致する部分のすべてを含む。上述したように、可動ウェイト４２は、アンカー式のパターのフィールを提供することができるように、グリップ部の内周側において選択的に再配置され得るように構成されている。グリップ部は、約６０ｇ〜約１２０ｇの総固定質量（すなわち、再配置することができないエレメントの質量）を有する場合もある。他の実施例においては、グリップ部の総固定質量は約８０ｇ〜約１００ｇである。一実施例においては特に、グリップ部の総固定質量は約９０ｇである。
【００２２】
ゴルファーに最適なフィールと調節機能を提供するために、可動質量の大きさは、可動質量とヘッドの質量との比、及び／又は、可動質量とグリップ部内における固定質量との比によって表される特定の比率を満足する値をとり得る。一実施例においては、ヘッドの質量／可動質量の比は、約３：１〜約１１：１であり、又は約３：１〜約８：１であり、さらに又は約４：１〜約６：１である。一実施例においては特に、ヘッドの質量／可動質量の比は、約４．５：１〜約５．５：１である。同様に、固定グリップの質量／可動質量の比は、約０．５：１〜約４：１であり、又は約０．５：１〜約２：１であり、さらに又は約０．７５：１〜約２．０：１である。一実施例においては特に、固定グリップの質量／可動質量の比は、約１．２：１である。
【００２３】
一実施例においては、長細の部材４４に、カラーコード又は他の適切な視覚的な印（マーク）が付されていて、使用者は、特定の領域を素早く認識したり望ましい重量構成を素早く判断したりすることができる。例えば、一実施例においては、長細の部材４４の長さ方向に沿って少なくとも３つの色付けされた領域が存在する。これら３つの領域は、大きな（重い）重量、中程度の重量及び小さな（軽い）重量の構成に対応し得る。
【００２４】
様々な実施例について説明したが、上述した説明は、限定することではなく例示することを意図している。当業者には更に多くの実施形態や応用形態が可能であることが明らかであろう。従って、本発明は、添付の特許請求の範囲及びこれの均等物に照らすこと以外によっては制限されないが、添付の特許請求の範囲を逸脱することなく様々な変更や変形がなされ得る。
【００２５】
「１つの」、「少なくとも１つの」及び「１つ又は複数の」という語句は互換性があり、少なくとも１つ該物品が存在することを意味する。特に明示の記載がない限り、複数のこれらの物品が存在し得る。本明細書及び特許請求の範囲において、（例えば、量や条件の）パラメータのすべての数値は、数値の前に「約」という語句が実際にあるか否かに拘わらず、すべての状況において、「約」という語句によって修飾され得るものとして理解されたい。「約」という語句は、記載した数値が若干正確でないこと（正確な値に近づいていること、理論的な値に近いこと、又は近似）があっても、これを許容し得ることを示す。或いは、「約」という語句によって与えられる不正確性が当技術分野で許容されない場合にも、本明細書中における「約」との語句は、通常の測定方法及び測定のパラメータを使用することに起因する変動が生じ得ることを示す。加えて、開示された範囲には、範囲内のすべての値及び更に分割された範囲が含まれ得る。範囲内の値及び範囲の終端値については、本明細書中において、別々の実施例ですべて開示されている。「備える」、「含む」及び「有する」の語句は包含することを意図し、従って、記載した物品の存在を特定するが、他の物品の存在を除外することを意図しない。本明細書中で使用される「又は」という語句は、１つ又は複数の列挙された種々の物品のすべての組合せを含み得る。第１の、第２の、第３の、などの語句が様々な物品を互いに区別するために使用されている場合、これらは単に便宜上の表示であり、物品の序列を限定するものではない。
【符号の説明】
【００２６】
１０…ゴルフクラブ
１２…シャフト
１６…グリップ
１８…長手方向軸
２２…第２の端部
３０…シャフトの断面
３２…管状体
３４…内面
３６…外面
４０…カウンターバランス
４２…可動ウェイト
４４…長細の部材
４６…第１の端部
４８…第２の端部
６０…ウェイトの断面
７４…ロッキング・インターフェイス
７６…突起
７８…スロット
９０…キャップ
９２…安定化グロメット
９４…第１の安定化グロメット
９６…第２の安定化グロメット
【図１】
0006692621.tif 000002
【図２】
0006692621.tif 000003
【図３】
0006692621.tif 000004
【図４】
0006692621.tif 000005